(57)【要約】【課題】予め工場生産された部材を使用することにより、現場での加工及び組立作業を極力減らして、部品点数及び作業工数を大幅に削減することができ、短い工期で安全に作業することが可能な施工性、耐久性に優れた木造軸組建築物の施工方法を提供する。【解決手段】基礎１０の上に土台１２及び大引き１３を取り付ける第１の工程と、大引き１３上に床パネル１５を取り付けて基礎１０及び土台１２で囲まれた空間部１４を覆う第２の工程と、土台１２上に間隔を空けて複数の柱２５、２６を立設し、水平材２７で連結する第３の工程と、土台１２、柱２５、２６、及び水平材２７で囲まれた複数の側方開口部３０の少なくとも一部に壁パネル３１、３１ａを取り付ける第４の工程と、水平材２８上に屋根支持材４８を介して屋根パネル５０を取り付ける第５の工程とを有する。【選択図】図７
2019157402.tif 000002
【特許請求の範囲】
【請求項１】
平屋建ての木造軸組建築物の施工方法において、
基礎の上に土台及び大引きを取り付ける第１の工程と、前記大引き上に床パネルを取り付けて前記基礎及び前記土台で囲まれた空間部を覆う第２の工程と、前記土台上に間隔を空けて複数の柱を立設し、水平材で連結する第３の工程と、前記土台、隣接する２本の前記柱、及び前記水平材で囲まれた複数の側方開口部の少なくとも一部に壁パネルを取り付ける第４の工程と、前記水平材上に屋根支持材を介して屋根パネルを取り付ける第５の工程とを有することを特徴とする木造軸組建築物の施工方法。
【請求項２】
請求項１記載の木造軸組建築物の施工方法において、少なくとも一部の前記壁パネルを高さ方向に貫通して前記空間部と前記木造軸組建築物の屋根裏を連通させる換気流路が形成されることを特徴とする木造軸組建築物の施工方法。
【請求項３】
請求項１又は２記載の木造軸組建築物の施工方法において、前記土台、前記大引き、前記柱、前記水平材、及び屋根支持材は、木材保存処理されたものであることを特徴とする木造軸組建築物の施工方法。
【請求項４】
請求項１〜３のいずれか１記載の木造軸組建築物の施工方法において、前記床パネル、前記壁パネル、及び前記屋根パネルはそれぞれ、方形状の第１面材と、該第１面材の一面側周縁に固定された一対の縦枠材と一対の横枠材からなる方形状のパネル枠と、該パネル枠を挟んで前記第１面材と対向配置され該パネル枠に固定された第２面材と、前記第１面材、前記パネル枠、及び前記第２面材で囲まれた中空部に充填された断熱材とを有することを特徴とする木造軸組建築物の施工方法。
【請求項５】
請求項４記載の木造軸組建築物の施工方法において、前記床パネルは、前記縦枠材又は前記横枠材が、前記大引きと直交するように配置され、前記屋根パネルは、前記縦枠材又は前記横枠材が、前記屋根支持材の桁と直交するように配置されることを特徴とする木造軸組建築物の施工方法。
【請求項６】
請求項４又は５記載の木造軸組建築物の施工方法において、前記壁パネルの前記中空部に空気流通管が埋設されていることを特徴とする木造軸組建築物の施工方法。
【請求項７】
請求項４〜６のいずれか１記載の木造軸組建築物の施工方法において、前記壁パネルの前記第２面材の外表面に、使用時の高さ方向に間隔を空けて取り付けられた水平補強材を有し、該水平補強材を高さ方向に貫通する空気流通部が形成されていることを特徴とする木造軸組建築物の施工方法。
【請求項８】
請求項４〜７のいずれか１記載の木造軸組建築物の施工方法において、少なくとも前記パネル枠は、木材保存処理されたものであることを特徴とする木造軸組建築物の施工方法。
【請求項９】
少なくとも一部に二階建て部分を有する木造軸組建築物の施工方法において、
基礎の上に土台及び大引きを取り付ける第１の工程と、前記大引き上に床パネルを取り付けて前記基礎及び前記土台で囲まれた空間部を覆う第２の工程と、前記土台上に間隔を空けて複数の通し柱及び複数の管柱を立設し、水平材で連結する第３の工程と、１）前記土台、２）前記通し柱と該通し柱に隣接する前記管柱、又は隣接する２本の前記管柱、及び３）前記水平材で囲まれた複数の側方開口部の少なくとも一部に壁パネルを取り付ける第４の工程と、前記二階建て部分を支持する前記水平材の梁上に二階床パネルを取り付ける第５の工程と、前記二階建て部分の外周を支持する前記水平材上に間隔を空けて複数の二階部管柱を立設し、前記通し柱及び複数の前記二階部管柱を二階部水平材で連結する第６の工程と、１）前記水平材、２）前記通し柱と該通し柱に隣接する前記二階部管柱、又は隣接する２本の前記二階部管柱、及び３）前記二階部水平材で囲まれた複数の二階側開口部の少なくとも一部に二階壁パネルを取り付ける第７の工程と、前記二階建て部分を除く前記水平材上及び前記二階部水平材上に屋根支持材を介して屋根パネルを取り付ける第８の工程とを有することを特徴とする木造軸組建築物の施工方法。
【請求項１０】
請求項９記載の木造軸組建築物の施工方法において、前記壁パネル及び前記二階壁パネルを高さ方向に貫通して前記空間部と前記木造軸組建築物の屋根裏を連通させる換気流路が形成されることを特徴とする木造軸組建築物の施工方法。
【請求項１１】
請求項９又は１０記載の木造軸組建築物の施工方法において、前記土台、前記大引き、前記通し柱、前記管柱、前記水平材、前記二階部管柱、前記二階部水平材、及び前記屋根支持材は、木材保存処理されたものであることを特徴とする木造軸組建築物の施工方法。
【請求項１２】
請求項９〜１１のいずれか１記載の木造軸組建築物の施工方法において、前記床パネル、前記壁パネル、前記二階床パネル、前記二階壁パネル、及び前記屋根パネルはそれぞれ、方形状の第１面材と、該第１面材の一面側周縁に固定された一対の縦枠材と一対の横枠材からなる方形状のパネル枠と、該パネル枠を挟んで前記第１面材と対向配置され該パネル枠に固定された第２面材と、前記第１面材、前記パネル枠、及び前記第２面材で囲まれた中空部に充填された断熱材とを有することを特徴とする木造軸組建築物の施工方法。
【請求項１３】
請求項１２記載の木造軸組建築物の施工方法において、前記床パネルは、前記縦枠材又は前記横枠材が、前記大引きと直交するように配置され、前記二階床パネルは、前記縦枠材又は前記横枠材が、前記梁と直交するように配置され、前記屋根パネルは、前記縦枠材又は前記横枠材が、前記屋根支持材の桁と直交するように配置されることを特徴とする木造軸組建築物の施工方法。
【請求項１４】
請求項１２又は１３記載の木造軸組建築物の施工方法において、前記壁パネル及び前記二階壁パネルの前記中空部に空気流通管が埋設されていることを特徴とする木造軸組建築物の施工方法。
【請求項１５】
請求項１２〜１４のいずれか１記載の木造軸組建築物の施工方法において、前記壁パネル及び前記二階壁パネルの前記第２面材の外表面に、使用時の高さ方向に間隔を空けて取り付けられた水平補強材を有し、該水平補強材を高さ方向に貫通する空気流通部が形成されることを特徴とする木造軸組建築物の施工方法。
【請求項１６】
請求項１２〜１５のいずれか１記載の木造軸組建築物の施工方法において、少なくとも前記パネル枠は、木材保存処理されたものであることを特徴とする木造軸組建築物の施工方法。
【発明の詳細な説明】
【技術分野】
【０００１】
本発明は、少ない部品点数と短い工期で施工することができ、施工性に優れ、天然素材の防腐防蟻剤で全棟防腐防蟻処理することにより１５０年の長寿命を実現でき、耐久性に優れる木造軸組建築物の施工方法に関する。
【背景技術】
【０００２】
従来、日本の木造建築で用いられる軸組工法（在来工法）は、例えば特許文献１に示されるように、土台、柱、桁、筋交いで家の骨組みを造る工法であり、土台、大引きで造られる水平面に対し、間柱、通し柱が垂直面の骨組みを構成し、さらにその上に梁や桁が組まれ、棟木を頂点として屋根が載せられる。そして、各所にはそれぞれに適した木材が用いられ、使われる部分によって木材の太さや長さはまちまちである。
これに対し、近年では、柱や梁等の軸組材をプレカット加工（工場生産）し、それらを現場へ運び込んで組み立てるという方法が普及している。このプレカット加工は、予め工場において、ＣＡＤを操作する入力者が間取りに基づく構造設計を行い、その設計図に沿って各種の加工機械により木材を一括して加工するものである。これにより、構造設計のばらつきを低減し、加工期間の短縮を図ることができる。また、軸組を形成する柱や水平材を正確な寸法に加工することができるため、それらを現場で所定の手順に従って組み付けることにより、経験の少ない作業者であっても、正確な寸法の建物を短い工期で建てることが可能となる。その結果、建築工期を短縮して、現場での作業負担を軽減することができ、人手不足の解消にもつなげることができる。
【先行技術文献】
【特許文献】
【０００３】
【特許文献１】特開２００７−１６９８８３号公報
【発明の概要】
【発明が解決しようとする課題】
【０００４】
しかしながら、プレカット加工は、従来現場で行われていた軸組材の加工を工場で事前に行うものであり、この方法を特許文献１のような従来の軸組工法に適用しても、使用する資材全体の数、種類、及び材質は大きく変わることはなく、特に、軸組以外の作業では従来と同様の作業が必要であるため、現場でのさらなる作業負担の低減、施工性の改善が望まれていた。また、建築後の住環境の安全性を維持しつつ、建築物を腐食や害虫の被害から保護して耐久性を高めるために、防虫、防腐、防蟻、防カビ等の処理に関しても改善が望まれていた。
本発明は、かかる事情に鑑みてなされたもので、予め工場生産された部材を使用することにより、現場での加工及び組立作業を極力減らして、部品点数及び作業工数を大幅に削減することができ、短い工期で安全に作業することが可能な施工性、耐久性に優れた木造軸組建築物の施工方法を提供することを目的とする。
【課題を解決するための手段】
【０００５】
前記目的に沿う第１の発明に係る木造軸組建築物の施工方法は、平屋建ての木造軸組建築物の施工方法において、基礎の上に土台及び大引きを取り付ける第１の工程と、前記大引き上に床パネルを取り付けて前記基礎及び前記土台で囲まれた空間部を覆う第２の工程と、前記土台上に間隔を空けて複数の柱を立設し、水平材で連結する第３の工程と、前記土台、隣接する２本の前記柱、及び前記水平材で囲まれた複数の側方開口部の少なくとも一部に壁パネルを取り付ける第４の工程と、前記水平材上に屋根支持材を介して屋根パネルを取り付ける第５の工程とを有する。
【０００６】
第１の発明に係る木造軸組建築物の施工方法において、少なくとも一部の前記壁パネルを高さ方向に貫通して前記空間部と前記木造軸組建築物の屋根裏を連通させる換気流路が形成されることが好ましい。
【０００７】
第１の発明に係る木造軸組建築物の施工方法において、前記土台、前記大引き、前記柱、前記水平材、及び屋根支持材は、木材保存（防腐防蟻）処理されたものであることが好ましい。
【０００８】
第１の発明に係る木造軸組建築物の施工方法において、前記床パネル、前記壁パネル、及び前記屋根パネルはそれぞれ、方形状の第１面材と、該第１面材の一面側周縁に固定された一対の縦枠材と一対の横枠材からなる方形状のパネル枠と、該パネル枠を挟んで前記第１面材と対向配置され該パネル枠に固定された第２面材と、前記第１面材、前記パネル枠、及び前記第２面材で囲まれた中空部に充填された断熱材とを有することが好ましい。
【０００９】
第１の発明に係る木造軸組建築物の施工方法において、前記床パネルは、前記縦枠材又は前記横枠材が、前記大引きと直交するように配置され、前記屋根パネルは、前記縦枠材又は前記横枠材が、前記屋根支持材の桁と直交するように配置されることが好ましい。
【００１０】
第１の発明に係る木造軸組建築物の施工方法において、前記壁パネルの前記中空部に空気流通管が埋設されることが好ましい。
【００１１】
第１の発明に係る木造軸組建築物の施工方法において、前記壁パネルの前記第２面材の外表面に、使用時の高さ方向に間隔を空けて取り付けられた水平補強材を有し、該水平補強材を高さ方向に貫通する空気流通部が形成されることが好ましい。
【００１２】
第１の発明に係る木造軸組建築物の施工方法において、少なくとも前記パネル枠は、木材保存処理されたものであることが好ましい。
【００１３】
前記目的に沿う第２の発明に係る木造軸組建築物の施工方法は、少なくとも一部に二階建て部分を有する木造軸組建築物の施工方法において、
基礎の上に土台及び大引きを取り付ける第１の工程と、前記大引き上に床パネルを取り付けて前記基礎及び前記土台で囲まれた空間部を覆う第２の工程と、前記土台上に間隔を空けて複数の通し柱及び複数の管柱を立設し、水平材で連結する第３の工程と、１）前記土台、２）前記通し柱と該通し柱に隣接する前記管柱、又は隣接する２本の前記管柱、及び３）前記水平材で囲まれた複数の側方開口部の少なくとも一部に壁パネルを取り付ける第４の工程と、前記二階建て部分を支持する前記水平材の梁上に二階床パネルを取り付ける第５の工程と、前記二階建て部分の外周を支持する前記水平材上に間隔を空けて複数の二階部管柱を立設し、前記通し柱及び複数の前記二階部管柱を二階部水平材で連結する第６の工程と、１）前記水平材、２）前記通し柱と該通し柱に隣接する前記二階部管柱、又は隣接する２本の前記二階部管柱、及び３）前記二階部水平材で囲まれた複数の二階側開口部の少なくとも一部に二階壁パネルを取り付ける第７の工程と、前記二階建て部分を除く前記水平材上及び前記二階部水平材上に屋根支持材を介して屋根パネルを取り付ける第８の工程とを有する。
【００１４】
第２の発明に係る木造軸組建築物の施工方法において、前記壁パネル及び前記二階壁パネルを高さ方向に貫通して前記空間部と前記木造軸組建築物の屋根裏を連通させる換気流路が形成されていることが好ましい。
【００１５】
第２の発明に係る木造軸組建築物の施工方法において、前記土台、前記大引き、前記通し柱、前記管柱、前記水平材、前記二階部管柱、前記二階部水平材、及び前記屋根支持材は、木材保存（防腐防蟻）処理されたものであることが好ましい。
【００１６】
第２の発明に係る木造軸組建築物の施工方法において、前記床パネル、前記壁パネル、前記二階床パネル、前記二階壁パネル、及び前記屋根パネルはそれぞれ、方形状の第１面材と、該第１面材の一面側周縁に固定された一対の縦枠材と一対の横枠材からなる方形状のパネル枠と、該パネル枠を挟んで前記第１面材と対向配置され該パネル枠に固定された第２面材と、前記第１面材、前記パネル枠、及び前記第２面材で囲まれた中空部に充填された断熱材とを有することが好ましい。
【００１７】
第２の発明に係る木造軸組建築物の施工方法において、前記床パネルは、前記縦枠材又は前記横枠材が、前記大引きと直交するように配置され、前記二階床パネルは、前記縦枠材又は前記横枠材が、前記梁と直交するように配置され、前記屋根パネルは、前記縦枠材又は前記横枠材が、前記屋根支持材の桁と直交するように配置されることが好ましい。
【００１８】
第２の発明に係る木造軸組建築物の施工方法において、前記壁パネル及び前記二階壁パネルの前記中空部に空気流通管が埋設されることが好ましい。
【００１９】
第２の発明に係る木造軸組建築物の施工方法において、前記壁パネル及び前記二階壁パネルの前記第２面材の外表面に、使用時の高さ方向に間隔を空けて取り付けられた水平補強材を有し、該水平補強材を高さ方向に貫通する空気流通部が形成されていることが好ましい。
【００２０】
第２の発明に係る木造軸組建築物の施工方法において、少なくとも前記パネル枠は、木材保存（防腐防蟻）処理されたものであることが好ましい。
【発明の効果】
【００２１】
第１の発明に係る木造軸組建築物の施工方法は、大引き上に床パネルを取り付けるので、従来のように、大引き上に根太を取り付ける必要がなく、現場で取り扱う部品点数を削減し、作業工程を簡素化して工期を短縮することができる。土台、柱、及び水平材（軸組部材）で囲まれた側方開口部に壁パネルを取り付けて一部を耐力壁として機能させることができるので、従来のように、筋交い、間柱、胴縁等の部材を取り付ける手間を削減することができ、現場で取り扱う部品点数を削減し、作業工程を簡素化して工期を短縮することができる。屋根支持材上に屋根パネルを取り付ける際に、従来のように、垂木を取り付ける必要がなく、現場で取り扱う部品点数を削減し、作業工程を簡素化して工期を短縮することができる。第１の工程で基礎の上に土台及び大引きを取り付けた後、第２の工程で大引き上に床パネルを取り付けて基礎及び土台で囲まれた空間部を覆うので、床パネルを足場として、後工程を安全に行うことができ、施工性、安全性に優れる。
【００２２】
少なくとも一部の壁パネルを高さ方向に貫通して空間部と木造軸組建築物の屋根裏を連通させる換気流路が形成される場合、基礎で囲まれて一年を通じて略一定の温度に保たれる空間部の空気を利用して自然に換気を行うことができ、木造軸組建築物内部の温度調整を容易かつ効率的に行うことができる。
【００２３】
土台、大引き、柱、水平材、及び屋根支持材（軸組部材）が、木材保存（防腐防蟻）処理されたものである場合、防虫、防腐、防蟻、防カビ等の効果を高め、長期間にわたって各部材を保護することができ、木造軸組建築物の耐久性を向上させることができる。
【００２４】
床パネル、壁パネル、及び屋根パネルがそれぞれ、方形状の第１面材と、第１面材の一面側周縁に固定された一対の縦枠材と一対の横枠材からなる方形状のパネル枠と、パネル枠を挟んで第１面材と対向配置されパネル枠に固定された第２面材と、第１面材、パネル枠、及び第２面材で囲まれた中空部に充填された断熱材とを有する場合、軸組部材に対して、床パネル、壁パネル、及び屋根パネルを構成する各部材を現場で順次、組み付ける従来の工法に比べて、大幅に作業工数を低減して作業者の負担を軽減することができる。また、床パネル、壁パネル、及び屋根パネルは、工場生産されることにより、寸法精度が高く、品質の均一性、安定性にも優れ、現場での施工性を向上させることができる。
【００２５】
床パネルの縦枠材又は横枠材が、大引きと直交するように配置され、屋根パネルの縦枠材又は横枠材が、屋根支持材の桁と直交するように配置される場合、床パネルの縦枠材又は横枠材が従来の根太の役目を果たし、屋根パネルの縦枠材又は横枠材が従来の垂木の役目を果たすので、従来と同等の強度を確保することができ、耐久性に優れる。
【００２６】
壁パネルの中空部に空気流通管が埋設されている場合、各壁パネルの空気流通管同士を連結することにより、壁パネルを貫通する換気流路を簡単に形成し、空間部と木造軸組建築物の屋根裏を連通させて自然換気を行うことができ、施工性に優れる。
【００２７】
壁パネルの第２面材の外表面に、使用時の高さ方向に間隔を空けて取り付けられた水平補強材を有し、水平補強材を高さ方向に貫通する空気流通部が形成されている場合、水平補強材が胴縁の役目を果たして壁パネルの強度を高めることができると共に、水平補強材の外面を外壁材で覆った状態で、空気流通部を利用して外気を壁パネルの内部（第２面材と外壁材の間）に通し、天井裏まで移動させて自然換気を行うことができる。
【００２８】
床パネル、壁パネル、及び屋根パネルの少なくともパネル枠が木材保存（防腐防蟻）処理されている場合、防虫、防腐、防蟻、防カビ等の効果を高め、各パネルの耐久性を向上させることができる。
【００２９】
第２の発明に係る木造軸組建築物の施工方法は、大引き上に床パネルを取り付けるので、従来のように、大引き上に根太を取り付ける必要がなく、現場で取り扱う部品点数を削減し、作業工程を簡素化して工期を短縮することができる。土台、通し柱、管柱、及び水平材（軸組部材）で囲まれた側方開口部に壁パネルを取り付けて一部を耐力壁として機能させることができるので、従来のように、筋交い、間柱、胴縁等の部材を取り付ける手間を省くことができ、現場で取り扱う部品点数を削減し、作業工程を簡素化して工期を短縮することができる。二階建て部分を支持する水平材の梁上に二階床パネルを取り付けるので、従来のように、梁上に二階根太を取り付ける必要がなく、現場で取り扱う部品点数を削減し、作業工程を簡素化して工期を短縮することができる。水平材、通し柱、二階部管柱、及び二階部水平材（軸組部材）で囲まれた二階側開口部に二階壁パネルを取り付けて一部を耐力壁として機能させることができるので、従来のように、筋交い、間柱、胴縁等の部材を取り付ける手間を削減することができ、現場で取り扱う部品点数を削減し、作業工程を簡素化して工期を短縮することができる。屋根支持材上に屋根パネルを取り付ける際に、従来のように、垂木を取り付ける必要がなく、現場で取り扱う部品点数を削減し、作業工程を簡素化して工期を短縮することができる。第１の工程で基礎の上に土台及び大引きを取り付けた後、第２の工程で大引き上に床パネルを取り付けて基礎及び土台で囲まれた空間部を覆うので、床パネルを足場として、一階部分での後工程（第３及び第４の工程）を安全に行うことができ、施工性、安全性に優れる。第５の工程で二階建て部分の水平材の梁上に二階床パネルを取り付けることにより、二階部分での後工程（第６及び第７の工程）を安全に行うことができ、施工性、安全性に優れる。
【００３０】
壁パネル及び二階壁パネルを高さ方向に貫通して空間部と木造軸組建築物の屋根裏を連通させる換気流路が形成される場合、基礎で囲まれて一年を通じて略一定の温度に保たれる空間部の空気を利用して自然に換気を行うことができ、木造軸組建築物内部の温度調整を容易かつ効率的に行うことができる。
【００３１】
土台、大引き、通し柱、管柱、水平材、二階部管柱、二階部水平材、及び屋根支持材（軸組部材）が、木材保存処理されたものである場合、防虫、防腐、防蟻、防カビ等の効果を高め、長期間にわたって各部材を保護することができ、木造軸組建築物の耐久性を向上させることができる。
【００３２】
床パネル、壁パネル、二階床パネル、二階壁パネル、及び屋根パネルがそれぞれ、方形状の第１面材と、第１面材の一面側周縁に固定された一対の縦枠材と一対の横枠材からなる方形状のパネル枠と、パネル枠を挟んで第１面材と対向配置されパネル枠に固定された第２面材と、第１面材、パネル枠、及び第２面材で囲まれた中空部に充填された断熱材とを有する場合、軸組部材に対して、床パネル、壁パネル、二階床パネル、二階壁パネル、及び屋根パネルを構成する各部材を現場で順次、組み付ける従来の工法に比べて、大幅に作業工数を低減して作業者の負担を軽減することができる。また、床パネル、壁パネル、二階床パネル、二階壁パネル、及び屋根パネルは、工場生産されることにより、寸法精度が高く、品質の均一性、安定性にも優れ、現場での施工性を向上させることができる。
【００３３】
床パネルの縦枠材又は横枠材が、大引きと直交するように配置され、二階床パネルの縦枠材又は横枠材が、梁と直交するように配置され、屋根パネルの縦枠材又は横枠材が、屋根支持材の桁と直交するように配置される場合、床パネルの縦枠材又は横枠材が従来の根太の役目を果たし、二階床パネルの縦枠材又は横枠材が、従来の二階根太の役目を果たし、屋根パネルの縦枠材又は横枠材が従来の垂木の役目を果たすので、従来と同等の強度を確保することができ、耐久性に優れる。
【００３４】
壁パネル及び二階壁パネルの中空部に空気流通管が埋設されている場合、各壁パネル及び各二階壁パネルの空気流通管を連結することにより、壁パネル及び二階壁パネルを貫通する換気流路を簡単に形成し、空間部と木造軸組建築物の屋根裏を連通させて自然換気を行うことができ、施工性に優れる。
【００３５】
壁パネル及び二階壁パネルの第２面材の外表面に、使用時の高さ方向に間隔を空けて取り付けられた水平補強材を有し、水平補強材を高さ方向に貫通する空気流通部が形成されている場合、水平補強材が胴縁の役目を果たして壁パネル及び二階壁パネルの強度を高めることができると共に、水平補強材の外面を外壁材で覆った状態で、空気流通部を利用して外気を壁パネル及び二階壁パネルの内部（第２面材と外壁材の間）に通し、天井裏まで移動させて自然換気を行うことができる。
【００３６】
床パネル、壁パネル、二階床パネル、二階壁パネル、及び屋根パネルの少なくともパネル枠が木材保存（防腐防蟻）処理されている場合、防虫、防腐、防蟻、防カビ等の効果を高め、各パネルの耐久性を向上させることができる。
【図面の簡単な説明】
【００３７】
【図１】本発明の一実施の形態に係る木造軸組建築物の施工方法の第１の工程を示す平面図である。
【図２】同木造軸組建築物の施工方法の第２の工程を示す平面図である。
【図３】図２のＡ−Ａ線矢視断面図である。
【図４】同木造軸組建築物の施工方法に用いる床パネルの内部構造を示す平面図である。
【図５】同木造軸組建築物の施工方法の第３の工程を示す平面図である。
【図６】同木造軸組建築物の施工方法の第３の工程を示す部分正面図である。
【図７】同木造軸組建築物の施工方法の第４の工程を示す部分正面図である。
【図８】図７のＢ−Ｂ線矢視断面図である。
【図９】同木造軸組建築物の施工方法に用いる壁パネルの内部構造を示す平面図である。
【図１０】同木造軸組建築物の施工方法の第５及び第６の工程を示す部分正面図である。
【図１１】同木造軸組建築物の施工方法の第７の工程を示す部分正面図である。
【図１２】同木造軸組建築物の施工方法の第８の工程を示す部分側面図である。
【図１３】同木造軸組建築物の施工方法に用いる壁パネルの変形例を示す正面図である。
【図１４】図１３のＣ−Ｃ線矢視断面図である。
【発明を実施するための形態】
【００３８】
続いて、添付した図面を参照しつつ、本発明を具体化した実施の形態につき説明し、本発明の理解に供する。
以下、図１〜図１２を参照して、本発明の一実施の形態に係る木造軸組建築物の施工方法について説明する。この木造軸組建築物の施工方法は、予め工場生産された部材を使用することにより、現場での加工及び組立作業を極力減らして、部品点数及び作業工数を大幅に削減し、工期を短縮して、作業安全性の向上を図るものものである。
まず、図１、図３、図６、図７に示すように、コンクリートで枠状に形成された基礎１０の上に横架材１１を取り付け、土台１２を形成する。そして、土台１２の長辺側の横架材１１と直交して配置される複数の大引き１３で、対向する長辺側の横架材１１同士を連結する。このとき、必要に応じて、大引き１３の下部（要所）に支持部を設けることができる。なお、土台１２の短辺側の横架材１１の内側には、大引き１３と共に後述する床パネル１５を支持する床支持材１３ａが取り付けられている。また、基礎１０への横架材１１の固定、横架材１１同士の連結、横架材１１と大引き１３との連結には、それぞれ従来公知のアンカーや継手等を用いることができる。このとき、横架材１１及び大引き１３は予め工場で所定の寸法に加工され、固定や連結に必要な孔加工や仕口加工等も施された状態なので、現場では簡単に組立作業を行うことができる。なお、必要に応じて、接合金具や補強金具を予め取り付けておけば、現場での作業工数を減らすことができる。
ここで、基礎１０及び土台１２で囲まれた空間部１４と連通するように、基礎１０及び横架材１１を貫通するＬ字状の空気取入れ部１４ａが設けられている。このとき、空気取入れ部１４ａが基礎１０及び横架材１１を貫通する部分は、貫通孔を形成するだけでもよいし、パイプを埋め込んでもよい。また、本実施の形態では、Ｌ字状に形成した空気取入れ部１４ａの先端の空気取入れ口１４ｂを空間部１４側に突出させたが、空気取入れ口１４ｂは、基礎１０の内側面に形成してもよい。なお、空気取入れ口１４ｂには、網体を取り付けて虫等の侵入を防止することが好ましい（以上、第１の工程）。
【００３９】
次に、図２及び図３に示すように、大引き１３上に複数の床パネル１５を取り付けて基礎１０及び土台１２で囲まれた空間部１４を覆う。床パネル１５は、釘打ちにより大引き１３及び床支持材１３ａに固定される。大引き１３は、例えば１ｍ間隔で設置する。床パネル１５は、予め工場生産されたものであり、図３及び図４に示すように、各床パネル１５は、方形状の第１面材１６と、第１面材１６の一面側周縁に固定された一対の縦枠材１７と一対の横枠材１８からなる方形状のパネル枠１９と、パネル枠１９を挟んで第１面材１６と対向配置されパネル枠１９に固定された第２面材２０を有している。そして、第１面材１６、パネル枠１９、第２面材２０で囲まれた中空部２１には断熱材２２が充填されている。なお、中空部２１は縦枠材１７と平行に配置される補強材２３で補強されるが、補強材２３の数や配置間隔は適宜、選択することができる。
床パネル１５は、例えば４ｍ×２ｍの長方形状であるが、木造軸組建築物の床面積や間取り等に応じて、適宜、寸法を選択することができ、一部、正方形状に形成してもよい。第１面材１６及び第２面材２０としては、例えば厚さ９ｍｍの合板が好適に用いられ、縦枠材１７と横枠材１８としては、例えば縦、横それぞれ４５ｍｍの角材が好適に用いられる。断熱材２２としては、例えばグラスウールや合成樹脂製発泡材等を用いることができる。
大引き１３と直交する縦枠材１７が根太の役目を果たし、床パネル１５の中空部２１に断熱材２２が充填されているので、従来のように、縦枠材への根太の取り付け作業や、断熱材の敷設作業等を現場で行う必要がなく、床パネル１５のみを設置するだけで簡単に床面を形成することができる。但し、床パネル１５の取り付け方向により、横枠材１８が大引き１３と直交して根太の役目を果たす場合もある（以上、第２の工程）。なお、最終的に、床パネル１５の表面をフローリングや畳で覆って床が完成するが、その工程は、内装が全て終わってから行うことが好ましい。
【００４０】
次に、図５〜図７に示すように、土台１２上に間隔を空けて複数の通し柱２５及び複数の管柱２６を立設し、水平材となる桁（胴差し）２７と梁２８で連結する。通し柱２５は、図１０及び図１１に示すように、土台１２から二階部水平材となる桁４２までを連結する柱であり、二階部分（図５では左側２／３の範囲）の少なくとも四隅に設置される。隣接する柱同士の間隔は、例えば１ｍであるが、通し柱２５及び管柱２６の配置は、適宜、選択することができる。また、二階部分を支持する短辺側の桁２７の内側には、梁２８と共に後述する二階床パネル４０を支持する床支持材２８ａが取り付けられている。なお、桁２７には、横架材１１の上面に開口する空気取入れ部１４ａ（図１参照）の水平方向位置に合わせて、桁２７を高さ方向に貫通する連通部２９が設けられる。連通部２９は桁２７に孔加工を施すだけでもよいし、パイプを差し込んでもよい。土台１２、通し柱２５、管柱２６、桁（胴差し）２７、及び梁２８の各部の固定や連結には、それぞれ従来公知のアンカーや継手等を用いることができる。また、通し柱２５、管柱２６、桁（胴差し）２７、及び梁２８は、他の部材と同様に、予め工場で所定の寸法に加工され、固定や連結に必要な孔加工や仕口加工及び連通部２９の加工等も施された状態なので、現場では簡単に組立作業を行うことができる。なお、必要に応じて、接合金具や補強金具を予め取り付けておけば、現場での作業工数を減らすことができる。（以上、第３の工程）。
【００４１】
次に、図７に示すように、１）土台１２、２）通し柱２５と通し柱２５に隣接する管柱２６、又は隣接する２本の管柱２６、及び３）水平材である桁２７で囲まれた複数の側方開口部３０の少なくとも一部に壁パネル３１、３１ａを取り付ける。壁パネル３１、３１ａは、釘打ちにより、土台１２、通し柱２５、管柱２６、及び桁２７に固定される。壁パネル３１は、予め工場生産されたものであり、図８及び図９に示すように、側方開口部３０に嵌め込まれる方形状の第１面材３２を有している。第１面材３２としては、例えばベニヤ板３２ａと厚さ５ｍｍの内側ボード（例えば合板）３２ｂを積層したものが好適に用いられる。第１面材３２の一面側周縁には、一対の縦枠材３３と一対の横枠材３４からなる方形状のパネル枠３５が固定される。縦枠材３３及び横枠材３４としては、例えば縦、横それぞれ４５ｍｍの角材が好適に用いられる。また、パネル枠３５には縦枠材３３と平行に補強材３５ａが取り付けられるが、補強材３５ａの数や配置間隔は適宜、選択することができる。そして、パネル枠３５を挟んで第１面材３２と対向配置された第２面材３６がパネル枠３５に固定されている。第２面材３６としては、例えば厚さ９ｍｍの合板が好適に用いられる。
【００４２】
なお、壁パネル３１の幅方向中央には縦枠材３３と平行に配置され横枠材３４を貫通する空気流通管３７が埋設されている。空気流通管３７の一端には、他の部分より大径の嵌合部３７ａが形成され、他端は横枠材３４より外方に突出する突出部３７ｂとなっている。これにより、複数の壁パネル３１を縦方向に並べて配置する際に、図７に示すように、上方の壁パネル３１の突出部３７ｂを下方の壁パネル３１の嵌合部３７ａに差し込んで空気流通管３７同士を連通させることができる。また、最下端の壁パネル３１の突出部３７ｂが、横架材１１の上面から空気取入れ部１４ａに差し込まれることにより、空気取入れ部１４ａを介して空間部１４と空気流通管３７が連通する。このとき、空気取入れ部１４ａは、直径を全体的に突出部３７ｂより大径に形成してもよいし、突出部３７ｂが差し込まれる開口部の上端側のみを突出部３７ｂより大径に形成してもよい。空気流通管３７としては、例えば直径７５ｍｍのライト管が好適に用いられるが、これに限定されるものではなく、材質や直径は適宜、選択することができる。また、空気流通管３７は、嵌合部３７ａが一体に形成されているものが好適に用いられるが、横枠材３４を孔加工して直接、嵌合部を形成してもよいし、孔加工した横枠材３４に嵌合部を有するソケット部材を埋め込んでもよい。なお、嵌合部３７ａの深さや突出部３７ｂの長さは、適宜、選択することができる。
第１面材３２、パネル枠３５、及び第２面材３６で囲まれた中空部３８には床パネル１５と同様に断熱材３９が充填されている。
【００４３】
空気流通管３７は、木造軸組建築物の外周に沿って所定の間隔（例えば２〜３ｍ間隔）で設置されるので、壁パネル３１の他に、空気流通管３７を組み込んでいない壁パネル３１ａも、工場生産により用意する。壁パネル３１ａが壁パネル３１と異なる点は、図８に示すように、中空部３８に空気流通管３７が埋設されない代わりに、補強材３５ａが追加されている点である。壁パネル３１、３１ａの形状は、側方開口部３０の形状や寸法に応じて、長方形状や正方形状に形成されたものを適宜、組合せて使用することができる。壁パネル３１、３１ａを長方形状に形成する場合、長さは、例えば２〜３ｍが好適であるが、これに限定されるものではない。なお、図７及び図８に示すように、壁パネル３１、３１ａの第１面材３２の幅は、側方開口部３０の幅と同等の幅に形成され、第２面材３６の幅は、通し柱２５及び管柱２６を覆うように、第１面材３２より幅広に形成される。（以上、第４の工程）。最終的に、壁パネル３１、３１ａの第１面材３２の表面（内壁側）は、クロスや塗り壁等の内装材で覆われ、第２面材３６の表面（外壁側）は、耐火プレート（焼物）等の外壁材で覆われて壁が完成する。なお、壁パネル３１、３１ａが取り付けられない側方開口部３０には、ドアや窓などが取り付けられる。
【００４４】
次に、図１０に示すように、二階建て部分を支持する水平材の梁２８上に二階床パネル４０を取り付ける。二階床パネル４０は釘打ちにより、梁２８及び床支持材２８ａに固定される。二階床パネル４０も予め工場生産されたものであり、その構造は床パネル１５と同様なので説明を省略する。梁２８と直交する縦枠材が二階根太の役目を果たし、二階床パネル４０の中空部に断熱材が充填されているので、従来のように、梁２８への二階根太の取り付け作業や、断熱材の敷設作業等を現場で行う必要がなく、二階床パネル４０のみを設置するだけで簡単に二階床面を形成することができる。但し、二階床パネル４０の取り付け方向により、横枠材が梁２８と直交して二階根太の役目を果たす場合もある（以上、第５の工程）。
【００４５】
次に、図１０に示すように、二階建て部分の外周を支持する水平材の桁２７上に間隔を空けて複数の二階部管柱４１を立設し、通し柱２５及び複数の二階部管柱４１を二階部水平材となる桁４２及び梁４３で連結する。なお、桁４２には、桁２７に形成された連通部２９の水平方向位置に合わせて、桁４２を高さ方向に貫通する空気吹出し部４４が設けられる。空気吹出し部４４は桁４２に孔加工を施すだけでもよいし、パイプを差し込んでもよい。通し柱２５、桁２７、二階部管柱４１、桁４２、及び梁４３の各部の連結（固定）には、それぞれ従来公知の継手等を用いることができ、二階部管柱４１、桁４２、及び梁４３は、他の部材と同様に、予め工場で所定の寸法に加工され、連結に必要な仕口加工及び空気吹出し部４４の加工等も施された状態なので、現場では簡単に組立作業を行うことができる。なお、必要に応じて、接合金具や補強金具を予め取り付けておけば、現場での作業工数を減らすことができる（以上、第６の工程）。
【００４６】
次に、図１１に示すように、水平材の桁２７、通し柱２５、通し柱２５に隣接する二階部管柱４１、及び二階部水平材の桁４２で囲まれた複数の二階側開口部４５並びに水平材の桁２７、隣接する２本の二階部管柱４１、及び二階部水平材の桁４２で囲まれた複数の二階側開口部４５の少なくとも一部に二階壁パネル４６、４６ａを取り付ける。二階壁パネル４６、４６ａは、釘打ちにより、通し柱２５、桁２７、二階部管柱４１、及び桁４２に固定される。二階壁パネル４６、４６ａも予め工場生産されたものであり、その構造は、それぞれ壁パネル３１、３１ａと同様なので説明を省略する（以上、第７の工程）。
最終的に、二階壁パネル４６、４６ａの第１面材の表面（内壁側）は、クロスや塗り壁等の内装材で覆われ、第２面材の表面（外壁側）は、耐火プレート（焼物）等の外壁材で覆われて二階部分の壁が完成する。なお、二階壁パネル４６、４６ａが取り付けられない二階側開口部４５には、窓などが取り付けられる。
【００４７】
なお、複数の二階壁パネル４６を縦方向に並べて配置する際に、図１１に示すように、上方の二階壁パネル４６の突出部３７ｂを下方の二階壁パネル４６の嵌合部３７ａに差し込んで空気流通管３７同士を連通させることができる。また、最下端の二階壁パネル４６の突出部３７ｂが、桁２７の上面から連通部２９に差し込まれることにより、連通部２９を介して壁パネル３１に埋設された空気流通管３７と二階壁パネル４６に埋設された空気流通管３７が連通する。また、最上端の二階壁パネル４６に埋設された空気流通管３７の上端部（嵌合部３７ａ）は、桁４２に形成された空気吹出し部４４と連通する。この結果、一部の壁パネル３１及び二階壁パネル４６を高さ方向に貫通して空間部１４と木造軸組建築物の屋根裏を連通させる換気流路４７が形成される。これにより、空間部１４の空気を利用して自然換気を行うことができ、木造軸組建築物内部の温度調整を容易かつ効率的に行うことができる。換気流路４７は、空気流通管３７の位置に対応して、木造軸組建築物の外周に沿って所定の間隔（例えば２〜３ｍ間隔）で設置されるが、木造軸組建築物の床面積や平面形状等に応じて、その数や配置は適宜、選択することができる。
【００４８】
次に、図１２に示すように、二階建て部分を除く水平材の梁２８上及び二階部水平材の梁４３上に、屋根支持材４８を介して屋根パネル５０を取り付ける。屋根支持材４８は、それぞれの梁２８、４３上に所定間隔で立設された複数の桁支持材（小屋束）４８ａと、複数の桁支持材（小屋束）４８ａの上端に梁２８、４３と直交するように渡設された桁の一例である屋根支持桁（母屋）４８ｂからなっている。梁２８、４３、桁支持材４８ａ、及び屋根支持桁４８ｂの各部の連結（固定）には、それぞれ従来公知の継手等を用いることができ、桁支持材４８ａ及び屋根支持桁４８ｂは、他の部材と同様に、予め工場で所定の寸法に加工され、連結に必要な仕口加工等も施された状態なので、現場では簡単に組立作業を行うことができる。なお、必要に応じて、接合金具や補強金具を予め取り付けておけば、現場での作業工数を減らすことができる。屋根パネル５０は、釘打ちにより、屋根支持桁４８ｂに固定される。屋根パネル５０は、予め工場生産されたものであり、方形状の第１面材５１と、第１面材５１の一面側周縁に固定された一対の縦枠材５２と一対の横枠材５３からなる方形状のパネル枠５４と、パネル枠５４を挟んで第１面材５１と対向配置されパネル枠５４に固定された第２面材５５を有している。そして、第１面材５１、パネル枠５４、及び第２面材５５で囲まれた中空部５６には断熱材５７が充填されている。中空部５６は、縦枠材５２又は横枠材５３と平行に適宜、配置される補強材（図示せず）で補強することができ、その数や配置間隔は適宜、選択することができる。なお、屋根パネル５０を構成する部材の寸法や材質等は床パネル１５と同様なので説明を省略する。屋根支持桁４８ｂと直交する縦枠材５２が垂木の役目を果たし、屋根パネル５０の中空部５６に断熱材５７が充填されているので、従来のように、屋根支持桁４９への垂木の取り付け作業や、断熱材の敷設作業等を現場で行う必要がなく、屋根パネル５０のみを設置するだけで簡単に屋根面を形成することができる。但し、屋根パネル５０の取り付け方向により、横枠材５３が屋根支持桁４８ｂと直交して垂木の役目を果たす場合もある（以上、第８の工程）。最終的に、屋根パネル５０の表面を屋根仕上げ材で覆って屋根が完成する。なお、屋根には２％程度の勾配を付けることが好ましいが、その形態は片流れ屋根、切妻屋根、或いはその他の形態でもよい。
【００４９】
ここで、本実施の形態で使用する横架材１１（土台１２）、大引き１３、床支持材１３ａ、通し柱２５、管柱２６、桁２７、梁２８、床支持材２８ａ、二階部管柱４１、桁４２、梁４３、桁支持材４８ａ、屋根支持桁４８ｂといった軸組部材（木材）及び床パネル１５、壁パネル３１、３１ａ、二階床パネル４０、二階壁パネル４６、４６ａ、及び屋根パネル５０の木質部分（断熱材以外）は、木材保存（防腐防蟻）処理することが好ましい。木材保存処理に使用する木材保存剤（防腐防蟻剤）としては、ホウ酸塩と酸化第二鉄とを含む水溶液中に、多孔質炭素粉末及びゼオライト粉末のいずれか一方と酢酸鉄を加えたものが好適に用いられる。この木材保存剤は、自然（天然）素材を使用することにより、原料の入手、製造が容易で、人畜に対する安全性に優れ、環境に及ぼす影響が少なく、防虫、防腐、防蟻、防カビ等の効果を高めることができ、長期間（例えば１００〜１５０年）にわたって安定的に木材を保護し、木造軸組建築物の長寿命化を図ることができる。各部材は木材保存剤を浸透させた後、乾燥させて使用する。具体的には、各部材を乾燥させて密閉容器に収容し、密閉容器内を減圧した状態で木材保存剤を注入して、各部材を木材保存剤中に浸漬することにより、木材保存剤を容易に浸透させることができる。また、各部材を木材保存剤中に浸漬した後、木材保存剤を加圧すれば、各部材全体に木材保存剤を短時間で多量に浸透させることができる。なお、木材保存剤は水溶液であるため、各部材の表面に塗布して浸透させてもよい。
【００５０】
床パネル１５、壁パネル３１、３１ａ、二階床パネル４０、二階壁パネル４６、４６ａ、及び屋根パネル５０については、少なくともパネル枠１９、３５、５４（補強材２３、３５ａも含む）を木材保存処理すればよいが、それぞれの第１面材１６、第２面材２０、第１面材３２、第２面材３６、第１面材５１、及び第２面材５５についても、上記のように木材保存処理を施すことにより、各パネルの耐久性を向上させることができる。但し、壁パネル３１、３１ａの第１面材３２のように、ベニヤ板３２ａと内側ボード３２ｂを積層する場合は、内側ボード３２ｂのみを木材保存処理し、ベニヤ板３２ａは木材保存処理しなくてもよい。
【００５１】
次に、壁パネル（二階壁パネル）の変形例について説明する。
図１３、図１４に示す変形例の壁パネル６０が、壁パネル３１、二階壁パネル４６と異なるのは、第２面材３６の外表面に、使用時の高さ方向に間隔を空けて取り付けられた水平補強材６１を有し、水平補強材６１を高さ方向に貫通する切欠き状（溝状）の空気流通部６２が形成されている点である。第２面材３６の外表面に取り付けられた水平補強材６１が胴縁の役目を果たして壁パネル６０の強度を高めることができる。また、最終的に、壁パネル６０の第１面材３２の表面（内壁側）は、クロスや塗り壁等の内装材で覆われ、水平補強材６１の外面（外壁側）は、耐火プレート（焼物）等の外壁材で覆われて壁が完成するが、水平補強材６１を高さ方向に貫通する切欠き状（溝状）の空気流通部６２が形成されていることにより、水平補強材６１の外面が外壁材で覆われた状態で、空気流通部６２を利用して外気を壁パネル６０の内部（第２面材３６と外壁材の間）に通し、天井裏まで移動させて自然換気を行うことができる。この壁パネル６０の他に、壁パネル６０の中空部３８に空気流通管３７を埋設せずに補強材で補強した壁パネル（壁パネル３１ａの第２面材３６の外表面に、空気流通部６２が形成された水平補強材６１を取り付けたものに相当）を用意することにより、それぞれを壁パネル３１、３１ａの代わり、又は二階壁パネル４６、４６ａの代わりに使用することができる。水平補強材６１としては、例えば、高さ４５ｍｍ、厚さ２０ｍｍの角材に、幅４５ｍｍ、深さ１０ｍｍの空気流通部６２が４５０ｍｍ間隔で形成されたものが好適に用いられるが、これに限定されるものではなく、適宜、選択することができる。また、水平補強材６１の配置間隔は４５０ｍｍ程度が好ましいが、これに限定されるものではなく、適宜、選択することができる。なお、水平補強材６１も他の部材と同様に、木材保存処理を施すことが好ましい。
【００５２】
以上、本発明の実施の形態を説明したが、本発明は何ら上記した実施の形態に記載の構成に限定されるものではなく、特許請求の範囲に記載されている事項の範囲内で考えられるその他の実施の形態や変形例も含むものである。
例えば、上記実施の形態では、一部に二階建て部分を有する場合について説明したが、二階建て部分の形状、配置、範囲等は適宜、選択することができ、木造軸組建築物全体を二階建てとしてもよいし、平屋建てとしてもよい。なお、平屋建ての場合は、上記実施の形態の第１の工程から第４の工程までを行った後、第５の工程として、水平材上に屋根支持材を取り付け、屋根支持材上に屋根パネルを取り付ければよい。但し、第３の工程では、通し柱と管柱の区別はなく、全て同じ長さの柱を使用することとなる。
また、上記実施の形態では省略したが、必要に応じて、木造軸組建築物の中心部に、他の柱よりも太い大黒柱を設置することができる。
【符号の説明】
【００５３】
１０：基礎、１１：横架材、１２：土台、１３：大引き、１３ａ：床支持材、１４：空間部、１４ａ：空気取入れ部、１４ｂ：空気取入れ口、１５：床パネル、１６：第１面材、１７：縦枠材、１８：横枠材、１９：パネル枠、２０：第２面材、２１：中空部、２２：断熱材、２３：補強材、２５：通し柱、２６：管柱、２７：桁（胴差し）、２８：梁、２８ａ：床支持材、２９：連通部、３０：側方開口部、３１、３１ａ：壁パネル、３２：第１面材、３２ａ：ベニヤ板、３２ｂ：内側ボード、３３：縦枠材、３４：横枠材、３５：パネル枠、３５ａ：補強材、３６：第２面材、３７：空気流通管、３７ａ：嵌合部、３７ｂ：突出部、３８：中空部、３９：断熱材、４０：二階床パネル、４１：二階部管柱、４２：桁、４３：梁、４４：空気吹出し部、４５：二階側開口部、４６、４６ａ：二階壁パネル、４７：換気流路、４８：屋根支持材、４８ａ：桁支持材（小屋束）、４８ｂ：屋根支持桁（母屋）、５０：屋根パネル、５１：第１面材、５２：縦枠材、５３：横枠材、５４：パネル枠、５５：第２面材、５６：中空部、５７：断熱材、６０：壁パネル、６１：水平補強材、６２：空気流通部
【図１】
2019157402.tif 000003
【図２】
2019157402.tif 000004
【図３】
2019157402.tif 000005
【図４】
2019157402.tif 000006
【図５】
2019157402.tif 000007
【図６】
2019157402.tif 000008
【図７】
2019157402.tif 000009
【図８】
2019157402.tif 000010
【図９】
2019157402.tif 000011
【図１０】
2019157402.tif 000012
【図１１】
2019157402.tif 000013
【図１２】
2019157402.tif 000014
【図１３】
2019157402.tif 000015
【図１４】
2019157402.tif 000016